(57)【要約】      （修正有）【課題】ストレッチフィルムホルダーを提供する。【解決手段】本体１０、第一円形マット部材２０、第二円形マット部材３０、ストレッチフィルム取付部材４０およびストッパー５０を備える。本体は一体成型され、台座、グリップ、円筒部１３および嵌合部を有する。グリップおよび円筒部は別々に台座に連結される。第一円形マット部材は本体の円筒部に嵌まり、本体の台座に重なる円盤部と、本体の嵌合部と嵌り合って相対的な回転を抑制する嵌合部とを有する。第二円形マット部材は本体の円筒部に嵌まり、第一円形マット部材に重なる円盤部および嵌合部を有する。ストレッチフィルム取付部材は円筒状スリッブ４１、円盤部および嵌合部を有する。円筒状スリッブは本体の円筒部に被さる。円盤部は円筒状スリッブに連結され、第二円形マット部材に被さる。嵌合部は第二円形マット部材の嵌合部と嵌り合って相対的な回転を抑制する。ストッパーはストレッチフィルム取付部材と本体との分離を抑制する。【選択図】図２
0003219860.tif 000002
【実用新案登録請求の範囲】
【請求項１】
本体（１０）、第一円形マット部材（２０）、第二円形マット部材（３０）、ストレッチフィルム取付部材（４０）およびストッパー（５０）を備え、
前記本体（１０）は一体成型され、台座（１１）、グリップ（１２）、円筒部（１３）および少なくとも一つの嵌合部（１６）を有し、前記グリップ（１２）および前記円筒部（１３）は別々に前記台座（１１）に連結され、
前記第一円形マット部材（２０）は前記本体（１０）の前記円筒部（１３）に嵌まり、円盤部（２１）および少なくとも一つの嵌合部（２４）を有し、前記円盤部（２１）は前記本体（１０）の前記台座（１１）に重なり、少なくとも一つの前記嵌合部（２４）は前記本体（１０）の前記嵌合部（１６）と嵌り合って相対的な回転を抑制し、
前記第二円形マット部材（３０）は前記本体（１０）の前記円筒部（１３）に嵌まり、円盤部（３１）および少なくとも一つの嵌合部（３４）を有し、前記円盤部（３１）は前記第一円形マット部材（２０）に重なり、
前記ストレッチフィルム取付部材（４０）は円筒状スリッブ（４１）、円盤部（４４）および少なくとも一つの嵌合部（４６）を有し、前記円筒状スリッブ（４１）は前記本体（１０）の前記円筒部（１３）に被さり、前記円盤部（４４）は前記円筒状円筒状スリッブ（４１）に連結されて前記第二円形マット部材（３０）に被さり、少なくとも一つの前記嵌合部（４６）は前記第二円形マット部材（３０）の前記嵌合部（３４）と嵌り合って相対的な回転を抑制し、
前記ストッパー（５０）は前記本体（１０）の前記円筒部（１３）に配置されて前記ストレッチフィルム取付部材（４０）と前記本体（１０）との分離を抑制することを特徴とする、
ストレッチフィルムホルダー。
【請求項２】
前記本体（１０）はさらに環状凹溝（１５）を有し、前記本体（１０）の前記嵌合部（１６）は前記環状凹溝（１５）に位置することを特徴とする請求項１に記載のストレッチフィルムホルダー。
【請求項３】
前記第一円形マット部材（２０）はさらに前記本体（１０）の前記円筒部（１３）を囲む凸状辺縁部（２２）を有し、前記第二円形マット部材（３０）は前記第一円形マット部材（２０）の前記凸状辺縁部（２２）の外周面に嵌まるように配置されることを特徴とする請求項２に記載のストレッチフィルムホルダー。
【請求項４】
前記第一円形マット部材（２０）はさらに前記本体（１０）の前記円筒部（１３）を囲む凸状辺縁部（２２）を有し、前記第二円形マット部材（３０）は前記第一円形マット部材（２０）の前記凸状辺縁部（２２）の外周面に嵌まるように配置されることを特徴とする請求項１に記載のストレッチフィルムホルダー。
【請求項５】
前記第二円形マット部材（３０）はさらに凸状辺縁部（３２）を有し、前記第二円形マット部材（３０）の前記嵌合部（３４）は前記第二円形マット部材（３０）の前記凸状辺縁部（３２）の外周面に形成されることを特徴とする請求項１〜４のいずれか一項に記載のストレッチフィルムホルダー。
【請求項６】
前記ストレッチフィルム取付部材（４０）はさらに前記第二円形マット部材（３０）の前記凸状辺縁部（３２）の外周面を囲む凸状辺縁部（４５）を有し、前記ストレッチフィルム取付部材（４０）の前記嵌合部（４６）は前記凸状辺縁部（４５）の内周面に形成されることを特徴とする請求項５に記載のストレッチフィルムホルダー。
【請求項７】
前記ストレッチフィルム取付部材（４０）はさらに前記第二円形マット部材（３０）の前記凸状辺縁部（３２）の外周面を囲む凸状辺縁部（４５）を有し、前記ストレッチフィルム取付部材（４０）の前記嵌合部（４６）は前記凸状辺縁部（４５）の内周面に形成されることを特徴とする請求項１〜４のいずれか一項に記載のストレッチフィルムホルダー。
【請求項８】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項７に記載のストレッチフィルムホルダー。
【請求項９】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項５に記載のストレッチフィルムホルダー。
【請求項１０】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項１〜４のいずれか一項に記載のストレッチフィルムホルダー。
【考案の詳細な説明】
【技術分野】
【０００１】
本考案はストレッチフィルム用器具、即ちストレッチフィルムホルダーに関するものである。
【背景技術】
【０００２】
周知のストレッチフィルムホルダーにおいて、ストレッチフィルム取付部材は本体の円筒部に被さる。ストレッチフィルムホルダーを使用すればするほど、本体およびストレッチフィルム取付部材が徐々に摩損してスムーズに作動できなくなるか、完全に損壊してしまうという問題が発生する。その場合、本体およびストレッチフィルム取付部材またはそのうちの一つを交換することが必要となる。従って、周知のストレッチフィルムホルダーには改善の余地がある。
【考案の概要】
【考案が解決しようとする課題】
【０００３】
本考案は上述した欠点に鑑み、主な部品の摩損を抑制し、作動のスムーズさを向上させ、使用寿命を延ばすことができるストレッチフィルムホルダーを提供することを主な目的とする。
【課題を解決するための手段】
【０００４】
上述した課題を解決するためのストレッチフィルムホルダーは、本体、第一円形マット部材、第二円形マット部材、ストレッチフィルム取付部材およびストッパーを備える。本体は一体成型され、台座、グリップ、円筒部および少なくとも一つの嵌合部を有する。グリップおよび円筒部は別々に台座に連結される。第一円形マット部材は本体の円筒部に嵌まり、本体の台座に重なる円盤部と、本体の嵌合部と嵌り合って相対的な回転を抑制する少なくとも一つの嵌合部とを有する。第二円形マット部材は本体の円筒部に嵌まり、第一円形マット部材に重なる円盤部および少なくとも一つの嵌合部を有する。ストレッチフィルム取付部材は円筒状スリッブ、円盤部および少なくとも一つの嵌合部を有する。円筒状スリッブは本体の円筒部に被さる。円盤部は円筒状円筒状スリッブに連結され、第二円形マット部材に被さる。少なくとも一つの嵌合部は第二円形マット部材の嵌合部と嵌り合って相対的な回転を抑制する。ストッパーは本体の円筒部に配置されてストレッチフィルム取付部材と本体との分離を抑制する。
【０００５】
上述した構造の特徴により、第一円形マット部材と第二円形マット部材を相対的に回転させて作業をスムーズにすることができるだけでなく、摩損した第一円形マット部材と第二円形マット部材を簡単に交換することができるため、本体およびストレッチフィルム取付部材の使用寿命を延ばすという本考案の目的を達成することができる。
【０００６】
比較的好ましい場合、本体はさらに環状凹溝を有する。本体の嵌合部は環状凹溝に位置する。
【０００７】
比較的好ましい場合、第一円形マット部材はさらに本体の円筒部を囲む凸状辺縁部を有する。第二円形マット部材は第一円形マット部材の凸状辺縁部の外周面に嵌まるように配置される。
【０００８】
比較的好ましい場合、第二円形マット部材はさらに凸状辺縁部を有する。第二円形マット部材の嵌合部は第二円形マット部材の凸状辺縁部の外周に形成される。
【０００９】
比較的好ましい場合、ストレッチフィルム取付部材はさらに第二円形マット部材の凸状辺縁部の外周面を囲む凸状辺縁部を有する。ストレッチフィルム取付部材の嵌合部はストレッチフィルム取付部材の凸状辺縁部の内周面に形成される。
【００１０】
比較的好ましい場合、第二円形マット部材はさらに外側辺縁部を有する。ストレッチフィルム取付部材はさらに第二円形マット部材の外側辺縁部の外周面を囲む防護縁部を有する。
【図面の簡単な説明】
【００１１】
【図１】本考案の一実施形態によるストレッチフィルムホルダーを示す斜視図である。
【図２】本考案の一実施形態によるストレッチフィルムホルダーを示す断面図である。
【図３】本考案の一実施形態によるストレッチフィルムホルダーを示す分解斜視図である。
【図４】本考案の一実施形態によるストレッチフィルムホルダーを示す分解斜視図である。
【図５】本考案の別の一実施形態によるストレッチフィルムホルダーを示す斜視図である。
【図６】本考案の別の一実施形態によるストレッチフィルムホルダーを示す斜視図である。
【考案を実施するための形態】
【００１２】
以下、本考案によるストレッチフィルムホルダーを図面に基づいて説明する。
【００１３】
（一実施形態）
図１から図４に示すように、本考案の一実施形態によるストレッチフィルムホルダーは本体１０、第一円形マット部材２０、第二円形マット部材３０、ストレッチフィルム取付部材４０およびストッパー５０を備える。
【００１４】
本体１０は台座１１、グリップ１２、円筒部１３、円形貫通孔１４、環状凹溝１５および複数の嵌合部１６を有する。
グリップ１２および円筒部１３は別々に台座１１に連結される。複数の嵌合部１６は環状凹溝１５に形成される。本体１０はパーツを使わず一体成型されるため、組立作業を省略し、全体強度を向上させることができる。
【００１５】
本体１０の嵌合部１６は凸状部である。
【００１６】
第一円形マット部材２０は本体１０の円筒部１３に嵌まり、円盤部２１、凸状辺縁部２２、穿孔２３および複数の嵌合部２４を有する。
円盤部２１は本体１０の台座１１に重なる。凸状辺縁部２２は本体１０の円筒部１３を囲むように形成される。穿孔２３は円盤部２１および凸状辺縁部２２を貫通する。複数の嵌合部２４は本体１０の嵌合部１６と嵌り合って相対的な回転を抑制する。
【００１７】
第一円形マット部材２０の嵌合部２４は凹状部である。
【００１８】
第二円形マット部材３０は本体１０の円筒部１３に嵌まり、円盤部３１、凸状辺縁部３２、嵌合孔３３、複数の嵌合部３４および外側辺縁部３５を有する。
円盤部３１は第一円形マット部材２０に重なる。嵌合孔３３は円盤部３１を貫通する。複数の嵌合部３４は第二円形マット部材３０の凸状辺縁部３２の外周に形成される。
【００１９】
第二円形マット部材３０は第一円形マット部材２０の凸状辺縁部２２の外周に嵌合される。
【００２０】
ストレッチフィルム取付部材４０は円筒状スリッブ４１、嵌合孔４２、複数の片状支持部４３、円盤部４４、凸状辺縁部４５、複数の嵌合部４６および防護縁部４７を有する。
円筒状スリッブ４１は本体１０の円筒部１３に被さる。嵌合孔４２は軸方向に沿って円筒状円筒状スリッブ４１を貫通する。複数の片状支持部４３は円筒状円筒状スリッブ４１の外周に連結される。円盤部４４は円筒状円筒状スリッブ２１に連結され、第二円形マット部材３０に被さる。凸状辺縁部４５は第二円形マット部材３０の凸状辺縁部３２の外周を囲むように形成される。複数の嵌合部４６は凸状辺縁部４５の内周面に形成される。防護縁部４７は第二円形マット部材３０の外側辺縁部３５の外周面を囲むように形成される。
【００２１】
ストレッチフィルム取付部材４０の嵌合部４６は第二円形マット部材３０の嵌合部３４と嵌り合って相対的な回転を抑制する。
【００２２】
ストッパー５０は本体１０の円筒部１３に配置されてストレッチフィルム取付部材４０と本体１０との分離を抑制する。
【００２３】
詳しく言えば、ストッパー５０は円筒部５１および当接部５２を有する。円筒部５１は本体１０の円形貫通孔１４に嵌まり込む。当接部５２はストレッチフィルム取付部材４０の円筒状スリッブ４１を遮断する。
【００２４】
上述した構造特徴により、第一円形マット部材２０と第二円形マット部材３０を相対的に回転させて作業をスムーズにすることができるだけでなく、摩損した第一円形マット部材２０と第二円形マット部材３０を簡単に交換することができるため、本体１０およびストレッチフィルム取付部材４０の使用寿命を延ばすことができる。
【００２５】
（別の一実施形態）
図５は本考案の別の一実施形態を示す斜視図である。本実施形態は規格の異なるストレッチフィット取付部材４０を採用する。
【００２６】
（別の一実施形態）
図６は本考案の別の一実施形態を示す斜視図である。本実施形態は規格の異なるストレッチフィット取付部材４０を採用する。
【００２７】
本考案は上述した実施形態に限定されず、下記の実施形態を含む。
【００２８】
本体１０の嵌合部１６は複数であるとは限らない。本体１０の嵌合部１６が少なくとも一つあればよい。それに対して、第一円形マット部材２０の嵌合部２４は複数であるとは限らない。第一円形マット部材２０の嵌合部２４が少なくとも一つあればよい。
【００２９】
第二円形マット部材３０の嵌合部３４は複数であるとは限らない。第二円形マット部材３０の嵌合部３４が少なくとも一つあればよい。それに対して、ストレッチフィット取付部材４０の嵌合部４６は複数であるとは限らない。ストレッチフィット取付部材４０の嵌合部４６が少なくとも一つあればよい。
【符号の説明】
【００３０】
１０  本体
１１  台座
１２  グリップ
１３  円筒部
１４  円形貫通孔
１５  環状凹溝
１６  嵌合部
２０  第一円形マット部材
２１  円盤部
２２  凸状辺縁部
２３  穿孔
２４  嵌合部
３０  第二円形マット部材
３１  円盤部
３２  凸状辺縁部
３３  嵌合孔
３４  嵌合部
３５  外側辺縁部
４０  ストレッチフィット取付部材
４１  円筒状スリッブ
４２  嵌合孔
４３  片状支持部
４４  円盤部
４５  凸状辺縁部
４６  嵌合部
４７  防護縁部
５０  ストッパー
５１  円筒部
５２  当接部
【図１】
0003219860.tif 000003
【図２】
0003219860.tif 000004
【図３】
0003219860.tif 000005
【図４】
0003219860.tif 000006
【図５】
0003219860.tif 000007
【図６】
0003219860.tif 000008
【手続補正書】
【提出日】平成30年11月26日(2018.11.26)
【手続補正１】
【補正対象書類名】実用新案登録請求の範囲
【補正対象項目名】全文
【補正方法】変更
【補正の内容】
【実用新案登録請求の範囲】
【請求項１】
本体（１０）、第一円形マット部材（２０）、第二円形マット部材（３０）、ストレッチフィルム取付部材（４０）およびストッパー（５０）を備え、
前記本体（１０）は一体成型され、台座（１１）、グリップ（１２）、円筒部（１３）および少なくとも一つの嵌合部（１６）を有し、前記グリップ（１２）および前記円筒部（１３）は別々に前記台座（１１）に連結され、
前記第一円形マット部材（２０）は前記本体（１０）の前記円筒部（１３）に嵌まり、円盤部（２１）および少なくとも一つの嵌合部（２４）を有し、前記円盤部（２１）は前記本体（１０）の前記台座（１１）に重なり、少なくとも一つの前記嵌合部（２４）は前記本体（１０）の前記嵌合部（１６）と嵌り合って相対的な回転を抑制し、
前記第二円形マット部材（３０）は前記本体（１０）の前記円筒部（１３）に嵌まり、円盤部（３１）および少なくとも一つの嵌合部（３４）を有し、前記円盤部（３１）は前記第一円形マット部材（２０）に重なり、
前記ストレッチフィルム取付部材（４０）は円筒状スリッブ（４１）、円盤部（４４）および少なくとも一つの嵌合部（４６）を有し、前記円筒状スリッブ（４１）は前記本体（１０）の前記円筒部（１３）に被さり、前記円盤部（４４）は前記円筒状スリッブ（４１）に連結されて前記第二円形マット部材（３０）に被さり、少なくとも一つの前記嵌合部（４６）は前記第二円形マット部材（３０）の前記嵌合部（３４）と嵌り合って相対的な回転を抑制し、
前記ストッパー（５０）は前記本体（１０）の前記円筒部（１３）に配置されて前記ストレッチフィルム取付部材（４０）と前記本体（１０）との分離を抑制することを特徴とする、
ストレッチフィルムホルダー。
【請求項２】
前記本体（１０）はさらに環状凹溝（１５）を有し、前記本体（１０）の前記嵌合部（１６）は前記環状凹溝（１５）に位置することを特徴とする請求項１に記載のストレッチフィルムホルダー。
【請求項３】
前記第一円形マット部材（２０）はさらに前記本体（１０）の前記円筒部（１３）を囲む凸状辺縁部（２２）を有し、前記第二円形マット部材（３０）は前記第一円形マット部材（２０）の前記凸状辺縁部（２２）の外周面に嵌まるように配置されることを特徴とする請求項２に記載のストレッチフィルムホルダー。
【請求項４】
前記第一円形マット部材（２０）はさらに前記本体（１０）の前記円筒部（１３）を囲む凸状辺縁部（２２）を有し、前記第二円形マット部材（３０）は前記第一円形マット部材（２０）の前記凸状辺縁部（２２）の外周面に嵌まるように配置されることを特徴とする請求項１に記載のストレッチフィルムホルダー。
【請求項５】
前記第二円形マット部材（３０）はさらに凸状辺縁部（３２）を有し、前記第二円形マット部材（３０）の前記嵌合部（３４）は前記第二円形マット部材（３０）の前記凸状辺縁部（３２）の外周面に形成されることを特徴とする請求項１〜４のいずれか一項に記載のストレッチフィルムホルダー。
【請求項６】
前記ストレッチフィルム取付部材（４０）はさらに前記第二円形マット部材（３０）の前記凸状辺縁部（３２）の外周面を囲む凸状辺縁部（４５）を有し、前記ストレッチフィルム取付部材（４０）の前記嵌合部（４６）は前記凸状辺縁部（４５）の内周面に形成されることを特徴とする請求項５に記載のストレッチフィルムホルダー。
【請求項７】
前記ストレッチフィルム取付部材（４０）はさらに前記第二円形マット部材（３０）の凸状辺縁部（３２）の外周面を囲む凸状辺縁部（４５）を有し、前記ストレッチフィルム取付部材（４０）の前記嵌合部（４６）は前記凸状辺縁部（４５）の内周面に形成されることを特徴とする請求項１〜４のいずれか一項に記載のストレッチフィルムホルダー。
【請求項８】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項７に記載のストレッチフィルムホルダー。
【請求項９】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項５に記載のストレッチフィルムホルダー。
【請求項１０】
前記第二円形マット部材（３０）はさらに外側辺縁部（３５）を有し、前記ストレッチフィルム取付部材（４０）はさらに前記第二円形マット部材（３０）の前記外側辺縁部（３５）の外周面を囲む防護縁部（４７）を有することを特徴とする請求項１〜４のいずれか一項に記載のストレッチフィルムホルダー。
【手続補正２】
【補正対象書類名】明細書
【補正対象項目名】０００４
【補正方法】変更
【補正の内容】
【０００４】
上述した課題を解決するためのストレッチフィルムホルダーは、本体、第一円形マット部材、第二円形マット部材、ストレッチフィルム取付部材およびストッパーを備える。本体は一体成型され、台座、グリップ、円筒部および少なくとも一つの嵌合部を有する。グリップおよび円筒部は別々に台座に連結される。第一円形マット部材は本体の円筒部に嵌まり、本体の台座に重なる円盤部と、本体の嵌合部と嵌り合って相対的な回転を抑制する少なくとも一つの嵌合部とを有する。第二円形マット部材は本体の円筒部に嵌まり、第一円形マット部材に重なる円盤部および少なくとも一つの嵌合部を有する。ストレッチフィルム取付部材は円筒状スリッブ、円盤部および少なくとも一つの嵌合部を有する。円筒状スリッブは本体の円筒部に被さる。円盤部は円筒状スリッブに連結され、第二円形マット部材に被さる。少なくとも一つの嵌合部は第二円形マット部材の嵌合部と嵌り合って相対的な回転を抑制する。ストッパーは本体の円筒部に配置されてストレッチフィルム取付部材と本体との分離を抑制する。
【手続補正３】
【補正対象書類名】明細書
【補正対象項目名】００２０
【補正方法】変更
【補正の内容】
【００２０】
ストレッチフィルム取付部材４０は円筒状スリッブ４１、嵌合孔４２、複数の片状支持部４３、円盤部４４、凸状辺縁部４５、複数の嵌合部４６および防護縁部４７を有する。
円筒状スリッブ４１は本体１０の円筒部１３に被さる。嵌合孔４２は軸方向に沿って円筒状スリッブ４１を貫通する。複数の片状支持部４３は円筒状スリッブ４１の外周に連結される。円盤部４４は円筒状スリッブ２１に連結され、第二円形マット部材３０に被さる。凸状辺縁部４５は第二円形マット部材３０の凸状辺縁部３２の外周を囲むように形成される。複数の嵌合部４６は凸状辺縁部４５の内周面に形成される。防護縁部４７は第二円形マット部材３０の外側辺縁部３５の外周面を囲むように形成される。